(57)【要約】【課題】機関回転数変動時にシリンダライナに対するピストンリングの摺動状態が厳しくなることを緩和し得、スカッフィングの発生を防止し得る舶用内燃機関のスカッフィング防止方法及び装置を提供する。【解決手段】レベル検出器１０からの検出信号１０ａに基づき燃料レベルが設定値以下に減少した燃料タンク１が存在している場合、機関回転数モニタ装置１２でモニタされた機関回転数モニタ信号１２ａに基づく平水での機関回転数安定時にのみ、燃料レベルが設定値以下に減少した燃料タンク１から燃料をエンジン７の各気筒８内に供給することが可能であることを表示する燃料タンク切換可能表示器１３を設け、機関回転数変動時には、燃料レベルが設定値以下に減少していない燃料タンク１から燃料をエンジン７の各気筒８内に供給するよう構成する。【選択図】図１
2008286133.tif 000002
【特許請求の範囲】
【請求項１】
燃料タンク内に貯留された燃料を底部から抜き出して燃料ポンプにより圧送し、燃料噴射弁を介してエンジンの各気筒内に供給する舶用内燃機関のスカッフィング防止方法であって、
機関回転数を検出してモニタし、少なくとも機関回転数変動時には、硬質粒子濃度の低い燃料をエンジンの各気筒内に供給する一方、スカッフィング防止剤をエンジンの各気筒内に供給することを特徴とする舶用内燃機関のスカッフィング防止方法。
【請求項２】
複数の燃料タンクを備え、所望の燃料タンクから燃料の抜き出しを可能とし、燃料レベルが設定値以下に減少した燃料タンクが存在している場合、平水での機関回転数安定時にのみ、前記燃料レベルが設定値以下に減少した燃料タンクから燃料をエンジンの各気筒内に供給し、機関回転数変動時には、燃料レベルが設定値以下に減少していない燃料タンクから燃料をエンジンの各気筒内に供給するようにした請求項１記載の舶用内燃機関のスカッフィング防止方法。
【請求項３】
前記スカッフィング防止剤をエンジンの各気筒内に注入される潤滑油とし、機関回転数変動時には、潤滑油注入率を上昇させるようにした請求項１記載の舶用内燃機関のスカッフィング防止方法。
【請求項４】
前記スカッフィング防止剤を燃料に混入される研磨剤とし、機関回転数変動時又は機関回転数変動終了後に、研磨剤が混入された燃料をエンジンの各気筒内に供給するようにした請求項１記載の舶用内燃機関のスカッフィング防止方法。
【請求項５】
燃料タンク内に貯留された燃料を底部から抜き出して燃料ポンプにより圧送し、燃料噴射弁を介してエンジンの各気筒内に供給する舶用内燃機関のスカッフィング防止装置であって、
機関回転数を検出する回転検出器と、該回転検出器で検出された機関回転数をモニタする機関回転数モニタ装置とを備え、少なくとも機関回転数変動時には、硬質粒子濃度の低い燃料をエンジンの各気筒内に供給する一方、スカッフィング防止剤をエンジンの各気筒内に供給するよう構成したことを特徴とする舶用内燃機関のスカッフィング防止装置。
【請求項６】
複数の燃料タンクと、
所望の燃料タンクから燃料を抜き出し可能となるよう抜出弁が配設された抜出ラインと、
前記各燃料タンクの燃料レベルを検出するレベル検出器と、
該レベル検出器からの検出信号に基づき燃料レベルが設定値以下に減少した燃料タンクが存在している場合、前記機関回転数モニタ装置でモニタされた機関回転数モニタ信号に基づく平水での機関回転数安定時にのみ、前記燃料レベルが設定値以下に減少した燃料タンクから燃料をエンジンの各気筒内に供給することが可能であることを表示する燃料タンク切換可能表示器と
を備え、
前記機関回転数モニタ装置でモニタされた機関回転数モニタ信号に基づく機関回転数変動時には、燃料レベルが設定値以下に減少していない燃料タンクから燃料をエンジンの各気筒内に供給するよう構成した請求項５記載の舶用内燃機関のスカッフィング防止装置。
【請求項７】
前記スカッフィング防止剤としての潤滑油が貯留された潤滑油タンクと、
該潤滑油タンクに貯留された潤滑油をエンジンの各気筒内に注入可能となるよう潤滑油投入機構及び潤滑油投入量調節機構が配設された潤滑油注入ラインと、
前記機関回転数モニタ装置でモニタされた機関回転数モニタ信号に基づく機関回転数変動時には、前記潤滑油注入ラインの潤滑油投入量調節機構へ潤滑油注入率を上昇させる開度指令信号を出力する潤滑油注入率制御装置と
を備えるようにした請求項５記載の舶用内燃機関のスカッフィング防止装置。
【請求項８】
前記スカッフィング防止剤としての研磨剤が貯留された研磨剤タンクと、
該研磨剤タンクに貯留された研磨剤を燃料に混入可能となるよう研磨剤ポンプ及び研磨剤混入弁が配設された研磨剤混入ラインと、
前記機関回転数モニタ装置でモニタされた機関回転数モニタ信号に基づく機関回転数変動時又は機関回転数変動終了後に、前記研磨剤混入ラインの研磨剤混入弁へ混入指令信号を出力する研磨剤混入制御装置と
を備えるようにした請求項５記載の舶用内燃機関のスカッフィング防止装置。
【発明の詳細な説明】
【技術分野】
【０００１】
本発明は、舶用内燃機関のスカッフィング防止方法及び装置に関するものである。
【背景技術】
【０００２】
一般に、舶用内燃機関においては、燃料タンク内に貯留された燃料を燃料ポンプにより圧送し、燃料噴射弁を介してエンジンの各気筒内に供給するようになっている。
【０００３】
尚、舶用内燃機関の燃料供給に関する一般的技術水準を示すものとしては、例えば、特許文献１がある。
【特許文献１】特開２００４−３０８５２８号公報
【発明の開示】
【発明が解決しようとする課題】
【０００４】
ところで、入出港時や運河通過時等の機関回転数変動時には、シリンダライナに対するピストンリングの摺動状態が厳しくなり、該シリンダライナの摺動面に引っかき傷が付くことにより、その後の運転でいわゆるスカッフィングが発生しやすくなるが、従来の場合、前記機関回転数変動時に特別な配慮はなされていなかった。
【０００５】
又、燃料中には、該燃料の改質用触媒として利用されたアルミナやシリカ等のセラミックス系の硬質粒子が含まれているため、燃料タンク内に貯留された燃料が減少した際に、該燃料を燃料タンクの底部から抜き出すと、該燃料タンクの底部に沈殿した高濃度の硬質粒子も燃料と一緒に抜き出される形となり、該硬質粒子は燃料清浄機やフィルタでは除去しきれず、エンジンに大量に入り込み、特に、前記機関回転数変動時に硬質粒子がエンジンに大量に入り込んだ場合、シリンダライナに対するピストンリングの摺動状態が更に厳しくなり、スカッフィング発生の起点が形成され、その後の高負荷運転時にスカッフィングが発生するという欠点を有していた。
【０００６】
本発明は、斯かる実情に鑑み、機関回転数変動時にシリンダライナに対するピストンリングの摺動状態が厳しくなることを緩和し得、スカッフィングの発生を防止し得る舶用内燃機関のスカッフィング防止方法及び装置を提供しようとするものである。
【課題を解決するための手段】
【０００７】
本発明は、燃料タンク内に貯留された燃料を底部から抜き出して燃料ポンプにより圧送し、燃料噴射弁を介してエンジンの各気筒内に供給する舶用内燃機関のスカッフィング防止方法であって、
機関回転数を検出してモニタし、少なくとも機関回転数変動時には、硬質粒子濃度の低い燃料をエンジンの各気筒内に供給する一方、スカッフィング防止剤をエンジンの各気筒内に供給することを特徴とする舶用内燃機関のスカッフィング防止方法にかかるものである。
【０００８】
前述の如く構成すると、機関回転数が検出されてモニタされ、少なくとも機関回転数変動時には、硬質粒子濃度の低い燃料がエンジンの各気筒内に供給される一方、スカッフィング防止剤がエンジンの各気筒内に供給される。
【０００９】
この結果、機関回転数変動時に硬質粒子がエンジンに大量に入り込むことがなくなる一方、スカッフィング防止剤がエンジンの各気筒内に供給されることから、シリンダライナに対するピストンリングの摺動状態が厳しくならず、スカッフィング発生の起点が形成されにくくなって、その後の高負荷運転時にもスカッフィングが発生しなくなる。
【００１０】
前記舶用内燃機関のスカッフィング防止方法においては、複数の燃料タンクを備え、所望の燃料タンクから燃料の抜き出しを可能とし、燃料レベルが設定値以下に減少した燃料タンクが存在している場合、平水での機関回転数安定時にのみ、前記燃料レベルが設定値以下に減少した燃料タンクから燃料をエンジンの各気筒内に供給し、機関回転数変動時には、燃料レベルが設定値以下に減少していない燃料タンクから燃料をエンジンの各気筒内に供給するようにすることができる。
【００１１】
前記舶用内燃機関のスカッフィング防止方法においては、前記スカッフィング防止剤をエンジンの各気筒内に注入される潤滑油とし、機関回転数変動時には、潤滑油注入率を上昇させるようにすることもできる。
【００１２】
前記舶用内燃機関のスカッフィング防止方法においては、前記スカッフィング防止剤を燃料に混入される研磨剤とし、機関回転数変動時又は機関回転数変動終了後に、研磨剤が混入された燃料をエンジンの各気筒内に供給するようにしても良い。
【００１３】
一方、本発明は、燃料タンク内に貯留された燃料を底部から抜き出して燃料ポンプにより圧送し、燃料噴射弁を介してエンジンの各気筒内に供給する舶用内燃機関のスカッフィング防止装置であって、
機関回転数を検出する回転検出器と、該回転検出器で検出された機関回転数をモニタする機関回転数モニタ装置とを備え、少なくとも機関回転数変動時には、硬質粒子濃度の低い燃料をエンジンの各気筒内に供給する一方、スカッフィング防止剤をエンジンの各気筒内に供給するよう構成したことを特徴とする舶用内燃機関のスカッフィング防止装置にかかるものである。
【００１４】
該舶用内燃機関のスカッフィング防止装置の場合、回転検出器により機関回転数が検出され、該回転検出器で検出された機関回転数が機関回転数モニタ装置によってモニタされ、少なくとも機関回転数変動時には、硬質粒子濃度の低い燃料がエンジンの各気筒内に供給される一方、スカッフィング防止剤がエンジンの各気筒内に供給される。
【００１５】
この結果、機関回転数変動時に硬質粒子がエンジンに大量に入り込むことがなくなる一方、スカッフィング防止剤がエンジンの各気筒内に供給されることから、シリンダライナに対するピストンリングの摺動状態が厳しくならず、スカッフィング発生の起点が形成されにくくなって、その後の高負荷運転時にもスカッフィングが発生しなくなる。
【００１６】
前記舶用内燃機関のスカッフィング防止装置においては、複数の燃料タンクと、
所望の燃料タンクから燃料を抜き出し可能となるよう抜出弁が配設された抜出ラインと、
前記各燃料タンクの燃料レベルを検出するレベル検出器と、
該レベル検出器からの検出信号に基づき燃料レベルが設定値以下に減少した燃料タンクが存在している場合、前記機関回転数モニタ装置でモニタされた機関回転数モニタ信号に基づく平水での機関回転数安定時にのみ、前記燃料レベルが設定値以下に減少した燃料タンクから燃料をエンジンの各気筒内に供給することが可能であることを表示する燃料タンク切換可能表示器と
を備え、
前記機関回転数モニタ装置でモニタされた機関回転数モニタ信号に基づく機関回転数変動時には、燃料レベルが設定値以下に減少していない燃料タンクから燃料をエンジンの各気筒内に供給するよう構成することができる。
【００１７】
前記舶用内燃機関のスカッフィング防止装置においては、前記スカッフィング防止剤としての潤滑油が貯留された潤滑油タンクと、
該潤滑油タンクに貯留された潤滑油をエンジンの各気筒内に注入可能となるよう潤滑油投入機構及び潤滑油投入量調節機構が配設された潤滑油注入ラインと、
前記機関回転数モニタ装置でモニタされた機関回転数モニタ信号に基づく機関回転数変動時には、前記潤滑油注入ラインの潤滑油投入量調節機構へ潤滑油注入率を上昇させる開度指令信号を出力する潤滑油注入率制御装置と
を備えるようにすることもできる。
【００１８】
前記舶用内燃機関のスカッフィング防止装置においては、前記スカッフィング防止剤としての研磨剤が貯留された研磨剤タンクと、
該研磨剤タンクに貯留された研磨剤を燃料に混入可能となるよう研磨剤ポンプ及び研磨剤混入弁が配設された研磨剤混入ラインと、
前記機関回転数モニタ装置でモニタされた機関回転数モニタ信号に基づく機関回転数変動時又は機関回転数変動終了後に、前記研磨剤混入ラインの研磨剤混入弁へ混入指令信号を出力する研磨剤混入制御装置と
を備えるようにしても良い。
【発明の効果】
【００１９】
本発明の舶用内燃機関のスカッフィング防止方法及び装置によれば、機関回転数変動時にシリンダライナに対するピストンリングの摺動状態が厳しくなることを緩和し得、スカッフィングの発生を防止し得るという優れた効果を奏し得る。
【発明を実施するための最良の形態】
【００２０】
以下、本発明の実施の形態を添付図面を参照して説明する。
【００２１】
図１は本発明を実施する形態の第一例であって、燃料タンク１内に貯留された燃料を底部から抜出ライン２に抜き出して燃料ポンプ３により圧送し、セットリングタンク４と供給ポンプ５と燃料噴射弁６とを介してエンジン７の各気筒８内に供給するようにした舶用内燃機関において、前記燃料タンク１を燃料が満たされた状態で複数（図１の例では三個）設置し、所望の燃料タンク１から燃料を抜き出し可能となるよう前記抜出ライン２に抜出弁９を配設すると共に、前記各燃料タンク１に、燃料レベルを検出するレベル検出器１０を設け、前記エンジン７に、機関回転数を検出する回転検出器１１と、該回転検出器１１で検出された機関回転数の検出信号１１ａをモニタする機関回転数モニタ装置１２とを設け、更に、前記レベル検出器１０からの検出信号１０ａに基づき燃料レベルが設定値以下に減少した燃料タンク１が存在している場合、前記機関回転数モニタ装置１２でモニタされた機関回転数モニタ信号１２ａに基づく平水（水面が波立っていない状態）での機関回転数安定時にのみ、前記燃料レベルが設定値以下に減少した燃料タンク１から燃料をエンジン７の各気筒８内に供給することが可能であることを表示する燃料タンク切換可能表示器１３を設け、前記機関回転数モニタ装置１２でモニタされた機関回転数モニタ信号１２ａに基づく機関回転数変動時には、燃料レベルが設定値以下に減少していない燃料タンク１から燃料をエンジン７の各気筒８内に供給するよう構成したものである。
【００２２】
尚、前記機関回転数安定時とは、例えば、図２に示す如く、前記機関回転数の単位時間（一時間）当たりの変動が３％未満となる状態を指し、又、機関回転数変動時とは、例えば、図３に示す如く、前記機関回転数の単位時間（一時間）当たりの変動が１５％以上となる状態を指す。
【００２３】
又、船舶の航行中は燃料の補充が行えないため、前記複数の燃料タンク１のトータル容量は、一回の航行距離を充分にカバーできる容量とし、最後に燃料が抜き出される燃料タンク１の燃料レベルが設定値以下に減少する前に少なくとも燃料を補充するものとしてある。
【００２４】
次に、上記図示例の作用を説明する。
【００２５】
本図示例の場合、燃料が満たされた複数の燃料タンク１のうち、所望の燃料タンク１の抜出弁９を開くことにより、該燃料タンク１の底部から抜出ライン２を経て燃料が抜き出され、燃料ポンプ３によりセットリングタンク４へ圧送され、該セットリングタンク４内に一旦貯留された燃料が供給ポンプ５により燃料噴射弁６へ圧送され、該燃料噴射弁６からエンジン７の各気筒８内に噴射される。
【００２６】
このとき、前記エンジン７の回転数は、回転検出器１１によって検出され、その検出信号１１ａが機関回転数モニタ装置１２に入力され、該機関回転数モニタ装置１２において前記回転検出器１１で検出された機関回転数の検出信号１１ａがモニタされ、現在の状態が機関回転数安定時であるか、或いは機関回転数変動時であるかを乗員が把握できるようになっていると共に、前記機関回転数モニタ装置１２でモニタされた機関回転数モニタ信号１２ａが燃料タンク切換可能表示器１３へ入力されている。
【００２７】
又、前記燃料タンク１の燃料レベルがレベル検出器１０によって検出され、該レベル検出器１０によって検出された燃料レベルの検出信号１０ａが燃料タンク切換可能表示器１３へ入力され、該燃料タンク切換可能表示器１３において、前記レベル検出器１０からの検出信号１０ａに基づき燃料レベルが設定値以下に減少した燃料タンク１が存在しているか否かの判断が行われ、図１の仮想線で示す如く燃料レベルが設定値以下に減少した燃料タンク１が存在している場合、前記機関回転数モニタ装置１２でモニタされた機関回転数モニタ信号１２ａに基づく平水での機関回転数安定時にのみ、前記燃料レベルが設定値以下に減少した燃料タンク１から燃料をエンジン７の各気筒８内に供給可能であることが表示される。
【００２８】
この時点で、燃料レベルが設定値以下に減少していない燃料タンク１から燃料の抜き出しが行われている場合、乗員は、前記燃料タンク切換可能表示器１３に、燃料レベルが設定値以下に減少した燃料タンク１から燃料をエンジン７の各気筒８内に供給可能であることが表示されている場合にのみ、前記燃料レベルが設定値以下に減少した燃料タンク１の抜出弁９を開き、それ以外の燃料タンク１の抜出弁９を閉じ、これにより、前記燃料レベルが設定値以下に減少した燃料タンク１から燃料がエンジン７の各気筒８内に供給される。
【００２９】
因みに、平水での機関回転数安定時に、前記燃料レベルが設定値以下に減少した燃料タンク１から硬質粒子を多く含む燃料がエンジン７の各気筒８内に供給されても、シリンダライナに対するピストンリングの摺動状態はあまり厳しくならず、スカッフィングが発生する心配はほとんどない。
【００３０】
一方、前記機関回転数モニタ装置１２でモニタされた機関回転数モニタ信号１２ａに基づく機関回転数変動時には、前記燃料タンク切換可能表示器１３に、燃料レベルが設定値以下に減少した燃料タンク１から燃料をエンジン７の各気筒８内に供給可能であることが表示されなくなるため、乗員は、前記燃料レベルが設定値以下に減少した燃料タンク１の抜出弁９を閉じ、それ以外の燃料レベルが設定値以下に減少していないいずれか一つの燃料タンク１の抜出弁９を開き、これにより、燃料レベルが設定値以下に減少しておらず底部に高濃度の硬質粒子が沈殿していない燃料タンク１内の燃料が燃料ポンプ３とセットリングタンク４と供給ポンプ５と燃料噴射弁６とを経てエンジン７の各気筒８内に供給される。
【００３１】
この結果、機関回転数変動時に硬質粒子がエンジン７に大量に入り込むことがなくなり、シリンダライナに対するピストンリングの摺動状態が厳しくならず、スカッフィング発生の起点が形成されにくくなって、その後の高負荷運転時にもスカッフィングが発生しなくなる。
【００３２】
こうして、入出港時や運河通過時等の機関回転数変動時にシリンダライナに対するピストンリングの摺動状態が厳しくなることを緩和し得、スカッフィングの発生を防止し得る。
【００３３】
図４は本発明を実施する形態の第二例であって、図中、図１と同一の符号を付した部分は同一物を表わしており、基本的な構成は図１に示すものと同様であるが、本図示例の特徴とするところは、図４に示す如く、スカッフィング防止剤としての潤滑油が貯留された潤滑油タンク１４と、
該潤滑油タンク１４に貯留された潤滑油をエンジン７の各気筒８内に注入可能となるよう潤滑油投入機構としての潤滑油ポンプ１５及び潤滑油投入量調節機構としての潤滑油流量調節弁１６が配設された潤滑油注入ライン１７と、
前記機関回転数モニタ装置１２でモニタされた機関回転数モニタ信号１２ａに基づく機関回転数変動時（図３参照）には、前記潤滑油注入ライン１７の潤滑油流量調節弁１６へ潤滑油注入率を上昇させる開度指令信号１８ａを出力する潤滑油注入率制御装置１８と
を備えるようにした点にある。
【００３４】
図４に示す例の場合、回転検出器１１により機関回転数が検出され、該回転検出器１１で検出された機関回転数が機関回転数モニタ装置１２によってモニタされ、該機関回転数モニタ装置１２でモニタされた機関回転数モニタ信号１２ａに基づく機関回転数変動時には、潤滑油注入率制御装置１８から潤滑油注入ライン１７の潤滑油流量調節弁１６へ潤滑油注入率を上昇させる開度指令信号１８ａが出力され、機関回転数安定時より多い量のスカッフィング防止剤としての潤滑油がエンジン７の各気筒８内に供給される。
【００３５】
因みに、機関回転数安定時（図２参照）の潤滑油注入率が例えば１［ｇ／ｋｗ−ｈ］程度である場合、機関回転数変動時の潤滑油注入率は、１．５［ｇ／ｋｗ−ｈ］程度に上昇させることが有効となる。
【００３６】
この結果、機関回転数変動時には機関回転数安定時より多い量のスカッフィング防止剤としての潤滑油がエンジン７の各気筒８内に供給されることから、潤滑が促進され、仮に硬質粒子が多く存在していたとしてもそれは潤滑油によって洗い流される形となり、シリンダライナに対するピストンリングの摺動状態が厳しくならず、スカッフィング発生の起点が形成されにくくなって、その後の高負荷運転時にもスカッフィングが発生しなくなる。
【００３７】
こうして、図４に示す例の場合も、図１に示す例の場合と同様、入出港時や運河通過時等の機関回転数変動時にシリンダライナに対するピストンリングの摺動状態が厳しくなることを緩和し得、スカッフィングの発生を防止し得る。
【００３８】
図５は本発明を実施する形態の第三例であって、図中、図１及び図４と同一の符号を付した部分は同一物を表わしており、基本的な構成は図１及び図４に示すものと同様であるが、本図示例の特徴とするところは、図５に示す如く、スカッフィング防止剤としてのスラリー状の研磨剤が貯留された研磨剤タンク１９と、
該研磨剤タンク１９に貯留された研磨剤を燃料に混入可能となるよう研磨剤ポンプ２０及び研磨剤混入弁２１が配設された研磨剤混入ライン２２と、
前記機関回転数モニタ装置１２でモニタされた機関回転数モニタ信号１２ａに基づく機関回転数変動時又は機関回転数変動終了後に、前記研磨剤混入ライン２２の研磨剤混入弁２１へ混入指令信号２３ａを出力する研磨剤混入制御装置２３と
を備えるようにした点にある。
【００３９】
尚、前記研磨剤は、一般にエンジンコンパウンド等と称されるものであって、エンジン７の各気筒８内での燃料の燃焼時に微細な研磨粒子を生成するものを使用すれば良い。
【００４０】
図５に示す例の場合、回転検出器１１により機関回転数が検出され、該回転検出器１１で検出された機関回転数が機関回転数モニタ装置１２によってモニタされ、該機関回転数モニタ装置１２でモニタされた機関回転数モニタ信号１２ａに基づく機関回転数変動時又は機関回転数変動終了後には、研磨剤混入制御装置２３から研磨剤混入ライン２２の研磨剤混入弁２１へ混入指令信号２３ａが出力され、スカッフィング防止剤としての研磨剤が燃料と一緒にエンジン７の各気筒８内に供給される。
【００４１】
因みに、機関回転数変動時又は機関回転数変動終了後の研磨剤の混入量は、その時点での燃料供給量の３［％］程度とすることが有効となる。
【００４２】
この結果、機関回転数変動時又は機関回転数変動終了後にはスカッフィング防止剤としての研磨剤が燃料と一緒にエンジン７の各気筒８内に供給されることから、燃料の燃焼時に微細な研磨粒子が生成され、該研磨粒子によってスカッフィング発生の起点が研磨除去され、その後の高負荷運転時にもスカッフィングが発生しなくなる。
【００４３】
こうして、図５に示す例の場合、入出港時や運河通過時等の機関回転数変動時又は機関回転数変動終了後にシリンダライナに対するピストンリングの摺動状態が厳しくなることを緩和し得、スカッフィングの発生を防止し得る。
【００４４】
尚、本発明の舶用内燃機関のスカッフィング防止方法及び装置は、上述の図示例にのみ限定されるものではなく、燃料タンクの個数は三個に限らず、複数であれば二個或いは四個以上とすることも可能であること、図１、図４、図５に示す例をそれぞれ単独ではなく複数組み合わせて実施することも可能であること等、その他、本発明の要旨を逸脱しない範囲内において種々変更を加え得ることは勿論である。
【図面の簡単な説明】
【００４５】
【図１】本発明を実施する形態の第一例を示す全体概要構成図である。
【図２】本発明を実施する形態の第一例における機関回転数モニタ装置でモニタされた機関回転数安定時の例を示す線図である。
【図３】本発明を実施する形態の第一例における機関回転数モニタ装置でモニタされた機関回転数変動時の例を示す線図である。
【図４】本発明を実施する形態の第二例を示す全体概要構成図である。
【図５】本発明を実施する形態の第三例を示す全体概要構成図である。
【符号の説明】
【００４６】
１    燃料タンク
２    抜出ライン
３    燃料ポンプ
６    燃料噴射弁
７    エンジン
８    気筒
９    抜出弁
１０    レベル検出器
１０ａ  検出信号
１１    回転検出器
１１ａ  検出信号
１２    機関回転数モニタ装置
１２ａ  機関回転数モニタ信号
１３    燃料タンク切換可能表示器
１４    潤滑油タンク
１５    潤滑油ポンプ（潤滑油投入機構）
１６    潤滑油流量調節弁（潤滑油投入量調節機構）
１７    潤滑油注入ライン
１８    潤滑油注入率制御装置
１８ａ  開度指令信号
１９    研磨剤タンク
２０    研磨剤ポンプ
２１    研磨剤混入弁
２２    研磨剤混入ライン
２３    研磨剤混入制御装置
２３ａ  混入指令信号
【図１】
2008286133.tif 000003
【図２】
2008286133.tif 000004
【図３】
2008286133.tif 000005
【図４】
2008286133.tif 000006
【図５】
2008286133.tif 000007